【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
複数の個々の検出部位（２）からなる配列からの蛍光信号（７）を結像するための光学機器（１）であって、
複数の個々の検出部位（２）からなる配列を有する平面支持体（４）を保持するための保持デバイス（３）と、
少なくとも１つの励起周波数を含む光を放射するための、少なくとも１つの光源（５）と、
複数の個々の検出部位（２）からなる配列から蛍光信号（７）を受信するように構成されているとともに、コンピュータによって読み取り可能な一次データを生成するように設計されている光学センサー（６）と、
複数の個々の検出部位（２）からなる配列に対して光源（５）からの励起光（９）を転送するとともに、複数の個々の検出部位（２）からなる配列から光学センサー（６）に対して蛍光信号（７）を転送するように構成されている視野レンズ（８）と、
光源（５）から視野レンズ（８）に対して励起光（９）を転送するように構成されている励起レンズ配列（１０）と、
視野レンズ（８）から光学センサー（６）に対して蛍光信号（７）を転送するように構成されている結像レンズ配列（１１）とを備えた光学機器（１）において、
この光学機器（１）が、瞳レンズアレイ素子（２２）を有する瞳レンズアレイ（２１）と、視野レンズアレイ素子（２０）を有する視野レンズアレイ（１９）とを備えた、対物レンズアレイ（１８）を備えており、
この対物レンズアレイ（１８）が、複数の個々の検出部位（２）からなる配列と視野レンズ（８）との間のビーム経路内に配置されており、
さらに、前記光学機器（１）が、励起光（９）の照明瞳と蛍光信号（７）の検出瞳とのためのマスクを形成する絞りアレイ（２３）を備えており、この絞りアレイ（２３）が、１つ以上の絞り開口部をそれぞれ備えた絞りアレイ素子を有しており、さらに、各絞りアレイ素子が、いずれの場合にも、１つの視野レンズアレイ素子（２０）および１つの瞳レンズアレイ素子（２３）に割りあてられており、それぞれの視野レンズアレイ素子（２０）および瞳レンズアレイ素子（２３）を通過するビーム経路のためのマスクを形成するようになっていることを特徴とする光学機器（１）。
【請求項２】
前記対物レンズアレイ（１８）内で、いずれの場合にも前記視野レンズアレイ素子（２０）と前記瞳レンズアレイ素子（２２）とから形成されたレンズ対が、いずれの場合にも前記検出部位（２）の１つに割りあてられていることを特徴とする請求項１記載の光学機器（１）。
【請求項３】
前記瞳レンズアレイ（２１）が、前記複数の検出部位（２）上に、前記視野レンズアレイ（１９）の画像を形成することを特徴とする前記請求項のいずれか１項に記載の光学機器（１）。
【請求項４】
前記視野レンズアレイ（１９）が、励起光（９）に関する照明瞳と、蛍光信号（７）に関する検出瞳とを生成することを特徴とする前記請求項のいずれか１項に記載の光学機器（１）。
【請求項５】
前記複数の検出部位（２）が、直径（Ｄ）を有しており、互いに間隔（ｄ）をおいて配置されていること、および瞳レンズアレイ素子（２２）の結像スケール（β）が、直径（Ｄ）に対する間隔（ｄ）の比率に等しくなっていることを特徴とする前記請求項のいずれか１項に記載の光学機器（１）。
【請求項６】
前記絞りアレイ（２３）が、前記視野レンズアレイ（１９）と前記瞳レンズアレイ（２１）との間または前記瞳レンズアレイ（２１）と前記複数の検出部位（２）からなる配列との間に配置されていることを特徴とする請求項１〜５のいずれか１項に記載の光学機器（１）。
【請求項７】
前記絞りアレイ（２３）に、検出部位（２）の１つにそれぞれ割りあてられている絞り開口部（２４、２５）の対が設けられており、これらの絞り開口部対が、いずれの場合にも、絞り開口部対における第１の絞り開口部（２４）が検出部位（２）に関する励起光（９）を通過させるように、および絞り開口部対における第２の絞り開口部（２５）が検出部位（２）からの蛍光信号（７）を通過させるように構成されていることを特徴とする請求項６〜７のいずれか１項に記載の光学機器（１）。
【請求項８】
前記励起光（９）のビーム経路および前記複数の検出部位（２）からの蛍光信号（７）のビーム経路が、前記視野レンズ（８）の物体側において、すなわち前記視野レンズ（８）と前記視野レンズアレイ（１９）との間において、テレセントリックであることを特徴とする前記請求項のいずれか１項に記載の光学機器（１）。
【請求項９】
前記視野レンズアレイ素子（２０）が、円形または四角形であることを特徴とする前記請求項のいずれか１項に記載の光学機器（１）。
【請求項１０】
前記視野レンズアレイ素子（２０）が四角形であり、前記複数の検出部位（２）が直径（Ｄ）を有しているとともに、互いに間隔（ｄ）をおいて配置されており、前記視野レンズアレイ素子（２０）における４つのエッジが複数の個々の検出部位（２）における円形の境界線上、またはこの境界線内に結像されること、および前記瞳レンズアレイ素子（２２）の結像スケール（βQ）が、前記直径（Ｄ）に対する四角形の視野レンズアレイ素子（２０）の対角線（√２・ｄ）の比率と等しいか、またはこれより大きくなっていることを特徴とする請求項９記載の光学機器。
【請求項１１】
前記光源がＬＥＤである請求項１〜１０のいずれか１項に記載の光学機器。
【請求項１２】
複数の個々の検出部位（２）からなる配列からの化学発光または生物発光の信号を結像するための光学機器（１）であって、
複数の個々の検出部位（２）からなる配列を有する平面支持体（４）を保持するための保持デバイス（３）と、
複数の個々の検出部位（２）からなる配列から、化学発光または生物発光の信号を受信するように構成されているとともに、コンピュータによって読み取り可能な一次データを生成するように設計されている光学センサー（６）と、
複数の個々の検出部位（２）からなる配列から光学センサー（６）に対して、化学発光または生物発光の信号を転送するように構成されている視野レンズ（８）と、
視野レンズ（８）から光学センサー（６）に対して、化学発光または生物発光の信号を転送するように構成されている結像レンズ配列（１１）とを備えた光学機器（１）において、
この光学機器（１）が対物レンズアレイ（１８）を備えており、
この対物レンズアレイ（１８）が視野レンズアレイ素子（２０）を有する視野レンズアレイ（１９）と、瞳レンズアレイ素子（２２）を有する瞳レンズアレイ（２１）とを備えており、
この対物レンズアレイ（１８）が複数の個々の検出部位（２）からなる配列と視野レンズ（８）との間のビーム経路内に配置されていることを特徴とする光学機器（１）。
【請求項１３】
請求項１〜１２のいずれか１項に記載の光学機器（１）と、
ＰＣＲ反応を実行することの可能な反応混合物をそれぞれ含んだ１つ以上のウェルを有する支持体（４）を、加熱および冷却するための手段と、
を備えたリアルタイムＰＣＲ機器。
【請求項１４】
複数のＰＣＲ反応をリアルタイムに同時に実行およびモニターするための分析システムであって、
ＰＣＲ反応を実行することが可能な反応混合物をそれぞれ含んでいる複数の個々の検出部位（２）からなる配列としてのマルチウェルプレートと、
蛍光ＤＮＡ結合実体と、
マルチウェルプレートにおける複数の個々の検出部位（２）を光によって照明するとともに、マルチウェルプレートの各ウェルからの蛍光信号を、コンピュータによって読み取り可能な一次データを生成するために、対応する蛍光信号（７）を受光することができるように構成された光学センサー（６）によって検出するための、請求項１〜１２のいずれか１項に記載の光学機器（１）を備えた、請求項１３記載のリアルタイムＰＣＲ機器とを有する分析システム。
【請求項１５】
複数のＤＮＡターゲット配列を増幅、検出および／または定量するための方法において、
ＰＣＲ反応を実行することの可能な組成物または反応混合物を提供すること、
複数のＤＮＡターゲット配列の増幅が起こり得るように、熱サイクリックプロトコルにしたがって反応混合物を処理すること、および
蛍光ＤＮＡ結合実体および請求項１３に記載のリアルタイムＰＣＲ機器を用いた複数の増幅サイクルの後に、各ＤＮＡ配列の存在および数量を、少なくとも１回は測定することを含む方法。
【手続補正２】
【補正対象書類名】明細書
【補正対象項目名】０１３１
【補正方法】変更
【補正の内容】
【０１３１】
対物レンズアレイ１８におけるトータルの利得係数ｇtotQは、蛍光励起に関する利得係数ｇAQと、蛍光検出に関する利得係数ｇDQとの積である。
【数２９】
2010032513.tif 000001